(57)【要約】【課題】撮影画像の人物画像と、背景画像とからなる鮮明な合成画像を得る。【解決手段】画像提供システム１０は被撮影者Ｐを撮影し、撮影画像３０を生成する撮影装置２と、撮影画像３０から背景３２を除いて人物画像３１を切り抜き、選択した背景画像３３と人物画像３１とを合成して合成画像３５を得る画像処理部２２を備えている。合成画像３５の不具合領域３６をペンツール５０で特定する。補正合成画像生成部２３において合成画像３５から背景３２を完全に除去して鮮明な補正合成画像３５Ａを得る。【選択図】図１Ａ
2020048117.tif 000002
【特許請求の範囲】
【請求項１】
背景および被撮影者を撮影し、背景と人物画像を含む撮影画像を生成する撮影装置と、
複数の背景画像を格納した記憶部と、
背景画像の選択指示を受け付ける指示受付部と、
前記撮影画像から前記背景を除き前記人物画像を切り取って、前記指示受付部を介して選択指示された背景画像と前記人物画像とをクロマキー合成して合成画像を作成する画像処理部と、
複数の背景画像および前記合成画像を表示する表示部とを備え、
前記表示部は前記合成画像の背景画像のうち不具合領域を特定する不具合領域入力部を含み、前記不具合領域入力部に入力された情報に基づいて、前記合成画像を補正して補正合成画像を生成する補正合成画像生成部が設けられ、前記補正合成画像生成部により生成された補正合成画像が前記表示部に表示される、画像提供システム。
【請求項２】
複数の背景画像を格納した記憶部と、
背景画像の選択指示を受け付ける指示受付部と、
背景と人物画像を含む撮影画像から前記背景を除き前記人物画像を切り取って、前記指示受付部を介して選択指示された背景画像と前記人物画像とをクロマキー合成して合成画像を作成する画像処理部と、
前記合成画像を表示する表示部とを備え、
前記表示部は前記合成画像の背景画像のうち不具合領域を特定する不具合領域入力部を含み、前記不具合領域入力部に入力された情報に基づいて、前記合成画像を補正して補正合成画像を生成する補正合成画像生成部が設けられ、前記補正合成画像生成部により生成された補正合成画像が前記表示部に表示される、画像提供システム。
【請求項３】
前記補正合成画像生成部は、前記不具合領域入力部により入力された不具合領域に残る背景を除去する、請求項１または２記載の画像提供システム。
【請求項４】
前記不具合領域入力部は、前記不具合領域の輪郭を描くことにより前記不具合領域を特定し、当該不具合領域が前記表示部に表示される、請求項１乃至３のいずれか記載の画像提供システム。
【請求項５】
前記不具合領域入力部は、前記不具合領域の全域をベタ塗りすることにより前記不具合領域を特定し、当該不具合領域が前記表示部に表示される、請求項１乃至３のいずれか記載の画像提供システム。
【請求項６】
前記補正合成画像生成部に接続され、前記補正合成画像を印画物にプリントするプリンタが接続されている、請求項１乃至５のいずれか記載の画像提供システム。
【発明の詳細な説明】
【技術分野】
【０００１】
本発明は、撮影画像をユーザに提供する画像提供システムに関する。
【背景技術】
【０００２】
従来、履歴書等に貼付するための証明写真等を撮影してユーザに提供するための画像提供システムが知られている。このような画像提供システムは人物を撮影し、用途に応じた様々なサイズの写真をプリントして出力する。従来の画像提供システムでは、人物を単一の背景の前に座らせて撮影を行っていた。そのため、写真の背景色を変えるには、背景を貼り替える必要があった。
【０００３】
また、クロマキー合成を用いた画像処理により、人物画像に背景画像を合成してプリント出力する装置が知られている（例えば特許文献１参照）。利用者は、あらかじめ準備されている様々な背景画像から所望の画像を選択することができる。
【０００４】
クロマキー合成では、撮影画像における人物部分と背景部分とを分離し、人物部分のみを切り抜く。そして撮影画像の人物部分と背景画像を合成して合成画像を生成する。この場合、撮影画像の背景を除くことになるが、撮影画像中の背景は一般に同一色をもつものの、必ずしもすべてが同一の明度をもつとは限らず、このように背景が同一色をもっていても異なる明度をもつ場合、画像処理により背景を確実に除くことはできず、合成画像中に元の背景が残って鮮明な合成写真を得ることはできない。
【先行技術文献】
【特許文献】
【０００５】
【特許文献１】特許第４２１７０６６号公報
【発明の概要】
【発明が解決しようとする課題】
【０００６】
本開示の実施の形態はこのような点を考慮してなされたものであり、撮影画像から背景を確実に除くことにより、鮮明な合成画像を得ることができる画像提供システムを提供することを目的とする。
【課題を解決するための手段】
【０００７】
本開示の実施の形態は、背景および被撮影者を撮影し、背景と人物画像を含む撮影画像を生成する撮影装置と、複数の背景画像を格納した記憶部と、背景画像の選択指示を受け付ける指示受付部と、前記撮影画像から前記背景を除き前記人物画像を切り取って、前記指示受付部を介して選択指示された背景画像と前記人物画像とをクロマキー合成して合成画像を作成する画像処理部と、複数の背景画像および前記合成画像を表示する表示部とを備え、前記表示部は前記合成画像の背景画像のうち不具合領域を特定する不具合領域入力部を含み、前記不具合領域入力部に入力された情報に基づいて、前記合成画像を補正して補正合成画像を生成する補正合成画像生成部が設けられ、前記補正合成画像生成部により生成された補正合成画像が前記表示部に表示される、画像提供システムである。
【０００８】
本開示の実施の形態は、複数の背景画像を格納した記憶部と、背景画像の選択指示を受け付ける指示受付部と、背景と人物画像を含む撮影画像から前記背景を除き前記人物画像を切り取って、前記指示受付部を介して選択指示された背景画像と前記人物画像とをクロマキー合成して合成画像を作成する画像処理部と、前記合成画像を表示する表示部とを備え、前記表示部は前記合成画像の背景画像のうち不具合領域を特定する不具合領域入力部を含み、前記不具合領域入力部に入力された情報に基づいて、前記合成画像を補正して補正合成画像を生成する補正合成画像生成部が設けられ、前記補正合成画像生成部により生成された補正合成画像が前記表示部に表示される、画像提供システムである。
【０００９】
本開示の実施の形態は、前記補正合成画像生成部は、前記不具合領域入力部により入力された不具合領域に残る背景を除去する、画像提供システムである。
【００１０】
本開示の実施の形態は、前記不具合領域入力部は、前記不具合領域の輪郭を描くことにより前記不具合領域を特定し、当該不具合領域が前記表示部に表示される、画像提供システムである。
【００１１】
本開示の実施の形態は、前記不具合領域入力部は、前記不具合領域の全域をベタ塗りすることにより前記不具合領域を特定し、当該不具合領域が前記表示部に表示される、画像提供システムである。
【００１２】
本開示の実施の形態は、前記補正合成画像生成部に接続され、前記補正合成画像を印画物にプリントするプリンタが接続されている、画像提供システムである。
【発明の効果】
【００１３】
本開示の実施の形態によれば、撮影画像から背景を確実に除くことにより、鮮明な合成画像を得ることができる。
【図面の簡単な説明】
【００１４】
【図１Ａ】図１Ａは本実施の形態に係る画像提供システムの概略構成図である。
【図１Ｂ】図１Ｂは撮影画像と、合成画像と、修正合成画像を示す概略図である。
【図２】図２は本実施の形態に係る演算制御装置の概略構成図である。
【図３】図３は本実施の形態による画像処理プログラムの実行により実現される機能ブロック図である。
【図４】図４は本実施の形態による画像提供システムの作用を説明するフローチャートである。
【図５】図５（ａ）（ｂ）（ｃ）は本実施の形態による画像提供システムの具体的作用を示す図である。
【図６】図６（ａ）（ｂ）（ｃ）（ｄ）（ｅ）（ｆ）はモニタ画面の一例を示す図である。
【図７】図７（ａ）（ｂ）（ｃ）は合成画像を修正する一例を示す図である。
【図８】図８（ａ）（ｂ）（ｃ）は合成画像を修正する他の例を示す図である。
【図９】図９は合成画像に不具合が生じる状態を示す図である。
【図１０】図１０（ａ）（ｂ）（ｃ）はモニタ画面を拡大した状態を示す図である。
【発明を実施するための形態】
【００１５】
以下、本発明の実施の形態を図面に基づいて説明する。
【００１６】
図１Ａに本実施形態に係る画像提供システム１０の概略構成を示す。また図１Ｂは撮影画像と、合成画像と、修正合成画像とを示す図である。画像提供システム１０は、被撮影者Ｐを撮影し、背景３２と人物画像３１とを含む撮影画像３０を生成する撮影装置２と、この撮影画像３０に対して画像処理を施す演算制御装置１と、印画物（写真）をプリントするプリンタ５とを備える。この画像提供システム１０は、撮影画像３０から背景３２を除き人物画像３１を切り抜いて、人物画像３１と背景画像３３を合成した合成画像３５を作成するとともに、合成画像３５の不具合領域３６を除去する補正を行って、補正合成画像３５Ａを作成するものである（図１Ａおよび図１Ｂ参照）。
【００１７】
なお、画像提供システム１０は必ずしも上記の構成をもつ必要はなく、少なくとも演算制御装置１から画像提供システム１０を構成することができ、この場合、画像提供システム１０には撮影装置２あるいはプリンタ５を必ずしも設ける必要はない。
【００１８】
撮影装置２は、例えばデジタルカメラであり、レンズ、シャッタ、ＣＭＯＳセンサ、Ａ／Ｄ変換器等を有する。撮影装置２が被撮影者Ｐを撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、撮影画像データを生成する。撮影装置２で生成された撮影画像データはメモリ等の媒体を介して演算制御装置１へ送ることができる。
【００１９】
また、画像提供システム１０は、被撮影者Ｐまたは店のスタッフＳから各種指示を受け付けると共に、プレビュー画像を表示するタッチパネル３を備えている。
【００２０】
このタッチパネル３は、撮影画像３０と、背景画像３３と、合成画像３５と、補正合成画像３５Ａを表示する表示部３Ａと、指示受付部３Ｂと、不具合領域入力部３Ｃの各機能をもつ。
【００２１】
具体的にはタッチパネル３は、操作ボタンを表示し、操作ボタンが押されると、その操作ボタンに対応した操作指示を受け付ける。例えば、タッチパネル３は、ユーザ（被撮影者Ｐ）またはスタッフＳから、画像の用途の指示を受け付ける。画像の用途は、プリンタ５が印画物にプリントする画像サイズ（写真サイズ）に対応しており、例えば、運転免許証、パスポート、履歴書等である。また、タッチパネル３は、少なくとも１つの背景画像３３の候補を表示するとともに、ユーザＰまたはスタッフＳから背景画像３３の選択指示を受け付けることができる。また、タッチパネル３は、ユーザＰが背景画像３３をカスタマイズするための色、明るさ、模様、グラデーション等の指示を受け付けることができる。また、タッチパネル３は、ユーザＰまたはスタッフＳからプリンタ５のプリント開始指示を受け付けることができる。また、タッチパネル３は、後述するプレビュー画像を表示している際にユーザから触れられた箇所を拡大表示することができる。
【００２２】
演算制御装置１は、撮影装置２、タッチパネル３、プリンタ５に接続されており、各部の制御やデータの受け渡しを行う。
【００２３】
図２に、演算制御装置１のハードウェア構成を示す。演算制御装置１は、ＣＰＵ（中央演算処理部）１１と、メインメモリ１２と、ディスク装置１３と、入出力部１４とを有する。演算制御装置１の各部はバス１５を介して接続されている。
【００２４】
ディスク装置１３は、ＣＰＵ１１により実行される画像処理プログラム１６及び人物画像に合成される背景画像をデータベース１７に格納する。データベース１７には、色や模様の異なる複数の背景画像データが記録されている。
【００２５】
ディスク装置１３は例えばハードディスクドライブである。なお、画像処理プログラム１６は、ディスク装置１３でなく、ＲＯＭや磁気テープ（共に図示せず）に格納されていてもよい。
【００２６】
ＣＰＵ１１は、ディスク装置１３内の画像処理プログラム１６をメインメモリ１２にロードして、画像処理プログラム１６を実行する。
【００２７】
画像処理プログラム１６の実行に伴い、メインメモリ１２上には、撮影画像データ、人物画像データ、背景画像データ、合成画像データ、及び補正合成画像データを格納する領域が確保される。
【００２８】
図３は、ＣＰＵ１１が画像処理プログラム１６を実行することで実現される機能ブロック図である。画像処理プログラム１６を実行することにより、選択部２１と、画像処理部２２と、補正合成画像生成部２３が実現され、これら選択部２１と画像処理部２２と補正合成画像生成部２３とにより画像処理プログラム１６の実行により実現される画像処理プログラム実行部２０が形成される。
【００２９】
選択部２１は、データベース１７内の背景画像データをディスク装置１３から選択して取り出し、背景画像候補データとしてタッチパネル３へ出力する。また、選択部２１は、タッチパネル３を介してユーザＰまたはスタッフＳから背景画像の選択指示を受け付けると、ユーザにより選択された背景画像データを画像処理部２２に渡す。
【００３０】
画像処理部２２は、クロマキー合成による処理を用いて、撮影装置２により生成された撮影画像内の人物画像３１と、選択部２１から受け取った背景画像３３とを合成して、合成画像３５を作成する。具体的には、画像処理部２２は、撮影画像内の人物と背景色（壁紙色）との色差を判別し、人物画像３１と背景３２とを有する撮影画像３０から背景３２を除去し、人物画像３１を切り抜く。ここで判別される色差とは、色相差、彩度差、又は色相差及び彩度差の組み合わせである。そして、画像処理部２２は、選択部２１から受け取った背景画像３３と、切り抜いた人物画像３１とを重ね合わせることで、画像合成を行って合成画像３５を作成する。
【００３１】
このようにして作成された合成画像３５はタッチパネル３の表示部３Ａに表示される。図１Ｂに示すように撮影画像３０から背景３２を除去し、人物画像３１を切り抜く。そして人物画像３１に選択された背景画像３３を重ね合わせることにより合成画像３５が得られる。この場合、撮影画像３０の背景３２は同一色をもつが必ずしも明度は均一ではない。具体的には図９に示すように、背景３２は同一色をもつが、人物画像３１近傍の場所３２ａでは濃い色をもち、人物画像３１から離れた場所３２ｃでは明るい色をもち、中間の場所３２ｂでは中間の明るさをもつ。
【００３２】
このため例えば場所３２ａを基準として画像処理を行って背景３２を除く場合、場所３２ｃを基準として画像処理を行って背景３２を除く場合、あるいは場所３２ｂを基準として画像処理を行って背景３２を除く場合、いずれの場合も背景３２を全域に渡って完全に除去することができない。
【００３３】
このように背景３２を全域に渡って完全に除去することができず背景３２の残存部分が残ってしまうと、画像処理部２２により生成された合成画像３５に、この背景３２の残存部分に起因して色むらを含む不具合領域３６が発生する。
【００３４】
本実施の形態によれば、ユーザＰまたはスタッフＳがタッチパネル３に表示された合成画像３５から不具合領域３６を後述するペンツールからなる不具合領域入力部３Ｃにより特定する。このことにより不具合領域入力部３Ｃから入力された情報に基づいて、演算制御装置１の補正合成画像生成部２３が合成画像３５中に残存する背景３２の残存部分を完全に取り除く。このことにより背景３２の残存部分に起因して生じる不具合領域３６を完全に消去することができる。
【００３５】
画像処理部２２は、撮影装置２により生成された撮影画像３０、作成した合成画像３５及び補正合成画像３５Ａをタッチパネル３の表示部３Ａでのプレビュー表示に対応したサイズに縮小し、あるいは拡大することができる。また、画像処理部２２は、作成した補正合成画像３５Ａを、プリンタ５でプリントする写真サイズに対応したサイズに縮小したり拡大することができる。
【００３６】
なおタッチパネル３を介して、ユーザＰまたはスタッフＳからプリンタ５のプリント開始指示を受け付けると、プリント用画像データが、演算制御装置１からプリンタ５へ出力される。
【００３７】
図１に示すプリンタ５は、演算制御装置１から受け取ったプリント用画像データに対して、色変換やシャープネス処理を行う。そして、プリンタ５は、被撮影者Ｐの撮影画像を用紙に印画して出力する。プリンタ５のプリント方式は特に限定されず、インクジェット方式、昇華型熱転写方式、溶融型熱転写方式等を用いることができる。
【００３８】
次に、図４に示すフローチャートを用いて、本実施形態による画像提供システムの作用を説明する。
【００３９】
まず図４および図５（ａ）に示すように、ユーザＰが店のスタッフＳに写真の注文をして、画像提供システムの作用が開始する。次にスタッフＳがユーザＰを撮影装置２を用いて撮影し、撮影画像３０が得られる（図５（ｂ）参照）。
【００４０】
その後図５（ｃ）に示すようにタッチパネル３の表示部３Ａ上に撮影画像３０のプレビュー画面が現れ、演算制御装置１において、撮影画像３０から合成画像３５が生成され、この合成画像３５が補正されて補正合成画像３５Ａが得られる。この補正合成画像３５Ａがプリンタ５によりプリントされてプリント印刷物５Ａが作製される。ユーザＰはこのプリント印刷物５Ａを確認して、スタッフＳに生成された補正合成画像３５Ａが完成画像である旨伝える。その後ユーザＰは例えば携帯端末Ｐ１により演算制御装置１にアクセスして、この補正合成画像のデータを入手することができる（図５（ｄ）参照）。
【００４１】
次に画像提供システム１０の作用の詳細を述べる。
【００４２】
撮影装置２によりユーザＰを撮影することにより得られた撮影画像３０は、人物画像３１と背景３２とを含む。撮影画像３０のデータは演算制御装置１へメモリ等の媒体を介して送られ、撮影画像３０が演算制御装置１からタッチパネル３へ送られてタッチパネル３の表示部３０Ａに表示される。
【００４３】
この場合、タッチパネル３の表示部３０Ａには複数の撮影画像３０のプレビュー画面が表示される（図６（ａ））。
【００４４】
次にユーザＰはタッチパネル３上の複数の撮影画像３０の中から所望の撮影画像３０を選択する。この場合、ユーザＰが所望の撮影画像３０上をタッチすると、このユーザＰの指示はタッチパネル３の指示受付部３Ｂに受け付けられる。
【００４５】
なおユーザＰはタッチパネル３上の撮影画像３０中に所望の撮影画像３０がない場合、スタッフＳに再度撮影する旨依頼して、撮影装置２により再度撮影して、上述の手順を繰り返す。
【００４６】
次にユーザＰは撮影画像３０が表示されるべきレイアウト条件４０をタッチパネル３に表示された複数のレイアウト条件４０の中から選択する（図６（ｂ）。
【００４７】
この場合、ユーザＰがタッチパネル３に表示された所望のレイアウト条件４０を押圧すると、このユーザＰの指示はタッチパネル３の指示受付部３Ｂにより受け付けられる。
【００４８】
次にユーザＰは図６（ｃ）に示すように、タッチパネル３上に表示された編集アイテム４１をタッチして、撮影画像３０に対して必要な編集作業を行う。このとき、ユーザＰの指示はタッチパネル３の指示受付部３Ｂに受け付けられる。
【００４９】
このような編集アイテム４１としては、撮影画像に対して行われる色変換処理あるいは美肌処理の編集アイテムが挙げられる。
【００５０】
次にユーザＰは撮影画像に対してクロマキー合成を行う。具体的にはタッチパネル３上に背景画像候補４３が表示され、ユーザＰはこの背景画像候補４３の中から所望の背景画像３３を選択する（図６（ｄ）参照）。
【００５１】
この場合、ユーザＰはタッチパネル３上の背景画像候補４３の中から所望の背景画像３３をタッチする。このことによりユーザＰからの背景画像３３を選択する旨の指示がタッチパネル３の指示受付部３Ｂにより受け付けられる。
【００５２】
ユーザＰがタッチパネル３をタッチして指示受付部３Ｂから所望の背景画像を選択すると、演算制御装置１の選択部２１が、データベース１７から背景画像データを取り出す。また、画像処理部２２はクロマキー合成による処理を用いて、人物画像３１と背景３２を含む撮影画像３０から背景３２を除去して人物画像３１を切り抜き、この人物画像３１と、選択された背景画像３３とを合成して合成画像データを作成する。さらに、画像処理部２２は、この合成画像データからプレビュー用画像データを作成する。ここで、合成画像に用いられる背景画像は、選択部２１が取り出した背景画像のうちの任意の１つである。
【００５３】
次にタッチパネル３の表示部３Ａが、画像処理部２２で作成された合成画像３５のプレビュー画面を表示する。
【００５４】
ユーザＰは、タッチパネル３に表示されている合成画像３５を承諾する場合は、タッチパネル３上の決定ボタンを押す。他方、合成画像３５を承諾しない場合は、タッチパネル３上に背景画像候補４３が再度表示されて、上述の手順が繰り返される。
【００５５】
次にユーザＰまたはスタッフＳは合成画像３５に対して補正を施すことにより、補正合成画像３５Ａを得る。具体的には、図６（ｅ）に示すように、ユーザＰまたはスタッフＳがタッチパネル３に表示された合成画像３５から不具合領域３６を探し出す。
【００５６】
次にユーザＰまたはスタッフＳは、タッチパネル３上に表示されたペンツール５０をタッチして選択する。この場合、ペンツール５０はペンツールの種類のアイコン５１およびペンツールの太さのアイコン５２を含み、ユーザＰまたはスタッフＳは、ペンツールの種類のアイコン５１およびペンツールの太さのアイコン５２を選択し、ペンツールの種類とペンツールの太さが選択されたペンツール５０のアイコンを用いて、合成画像３５中の不具合領域３６を特定する。
【００５７】
この場合、図７（ａ）（ｂ）（ｃ）に示すように、タッチパネル３に表示された合成画像３５中の背景画像３３のうち、人物画像３１近傍に、色むらを含む不具合領域３６を見付けることができる。
【００５８】
このときタッチパネル３上で、ユーザＰまたはスタッフＳは、ペンツールの種類およびペンツールの太さを選択し、所望のペンツール５０を得る（図７（ａ）参照）。次にこのペンツール５０をタッチパネル３上でタッチしながら移動させてペンツール５０により不具合領域３６を囲む輪郭３８を描く。
【００５９】
このペンツール５０により描かれた不具合領域３６を囲む輪郭３８は、タッチパネル３上に表示される。このときペンツール５０は不具合領域３６を特定する不具合領域入力部３Ｃとして機能し、ペンツール５０からの情報は演算制御装置１へ送られる。
【００６０】
次に演算制御装置１の補正合成画像生成部２３は、合成画像３５中に残存する背景３２の残存部分を確実に取り除く。
【００６１】
このことにより、背景３２の残存部分に起因して生じる不具合領域３６を完全に除去することができる（図７（ｃ）参照）。
【００６２】
このように本実施の形態によれば、補正合成画像生成部２３は、タッチパネル３に表示された合成画像３５から不具合領域３６を取り除く補正を行うことにより、補正後の鮮明な補正合成画像３５Ａを生成することができる（図１Ｂ参照）。
【００６３】
次にタッチパネル３上に補正合成画像生成部２３により生成された補正合成画像３５Ａのプレビュー画面が表示される。ユーザＰは補正合成画像３５Ａのプレビュー画面をみて承諾しない場合、再度ペンツール５０を用いて合成画像３５の不具合領域３６を取り除くよう合成画像３５を補正し、補正合成画像３５Ａを作成する。
【００６４】
その後は上述の手順を繰り返す。
【００６５】
次に上述のように、補正合成画像３５Ａがプリンタ５によりプリントされてプリント印刷物５Ａが作製される（図５（ｃ）および図６（ｆ）参照）。その後ユーザＰはプリント印刷物５Ａを確認した後、携帯端末Ｐ１により演算制御装置１にアクセスして補正合成画像３５Ａのデータを入手することができる（図５（ｄ）参照）。
【００６６】
なお、上記実施の形態において、タッチパネル３上においてペンツール５０を移動させて、ペンツール５０により不具合領域３６を囲む輪郭３８を描いた例を示したが、これに限らず、タッチパネル３上においてペンツール５０を移動させてペンツール５０により不具合領域３６の全域をベタ塗りしてベタ塗り領域３９を形成することにより不具合領域３６を特定してもよい（図８（ａ）（ｂ）（ｃ）参照）。
【００６７】
図８（ａ）（ｂ）（ｃ）において、不具合領域３６の全域をペンツール５０によりベタ塗りした場合、このベタ塗りして得られたベタ塗り領域３９はタッチパネル３上に表示される。あるいはまた、ペンツール５０を用いて合成画像３５の不具合領域３６を特定する場合、例えばタッチパネル３の指示受付部３Ｂを操作することにより、合成画像３５のプレビュー画面を１００％から１５０％まで拡大してもよい（図１０（ａ）（ｂ）参照）。
【００６８】
また合成画像３５のプレビュー画面を２００％まで更に拡大してもよい（図１０（ｃ）参照）。
【００６９】
このように合成画像３５のプレビュー画面を拡大することにより、ペンツール５０を用いて合成画像３５の不具合領域３６を容易かつ正確に特定することができる。
【００７０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７１】
１  演算制御装置
２  撮影装置
３  タッチパネル
３Ａ  表示部
３Ｂ  指示受付部
３Ｃ  不具合領域入力部
５  プリンタ
１１  ＣＰＵ
１２  メインメモリ
１３  ディスク装置
１４  入出力部
１５  バス
１６  画像処理プログラム
１７  データベース
２０  画像処理プログラム実行部
２１  選択部
２２  画像処理部
２３  補正合成画像生成部
３０  撮影画像
３１  人物画像
３２  背景
３３  背景画像
３５  合成画像
３５Ａ  補正合成画像
３６  不具合領域
３８  輪郭
３９  ベタ塗り領域
４０  レイアウト条件
４１  編集アイテム
５０  ペンツール
５１  ペンツールの種類
【図１Ａ】
2020048117.tif 000003
【図１Ｂ】
2020048117.tif 000004
【図２】
2020048117.tif 000005
【図３】
2020048117.tif 000006
【図４】
2020048117.tif 000007
【図５】
2020048117.tif 000008
【図６】
2020048117.tif 000009
【図７】
2020048117.tif 000010
【図８】
2020048117.tif 000011
【図９】
2020048117.tif 000012
【図１０】
2020048117.tif 000013